(57)【特許請求の範囲】
【請求項１】
地中埋め込み型の照明装置によって地上に向けて発光させ、地上を歩行する視覚障害者
の歩行支援を行うための照明方法において、
前記照明装置の発光面に垂直な軸からの開き角度が０度から略７０度の範囲（以下、有
効照明範囲という）における光度の上限値を照明装置長さ３００ｍｍ当たり（以下、単位
長さ当たりという）１．９８ｃｄとし、前記開き角度が略３０度から略７０度の範囲（以
下、視認照明範囲という）における光度の下限値を単位長さ当たり０．４３ｃｄとし、晴
眼者がグレアを感じず、かつ視覚障害者が照明装置の位置を確実に視認できるようにする
ことを特徴とする地中埋め込み型照明装置による照明方法。
【請求項２】
周囲環境の明るさが平均水平面照度１ルクス（ｌｘ）のとき、前記有効照明範囲における光度の上限値を単位長さ当たり１．３３ｃｄとし、前記視認照明範囲における光度の下限値を単位長さ当たり０．１７ｃｄとすることを特徴とする請求項１に記載の地中埋め込み型照明装置による照明方法。
【請求項３】
周囲環境の明るさが平均水平面照度１０ルクス（ｌｘ）のとき、前記有効照明範囲における光度の上限値を単位長さ当たり１．９８ｃｄとし、前記視認照明範囲における光度の下限値を単位長さ当たり０．３０ｃｄとすることを特徴とする請求項１に記載の地中埋め込み型照明装置による照明方法。
【請求項４】
発光面が地上に向けて埋め込まれ、前記発光面の発光によって、地上を歩行する視覚障
害者の歩行支援を行うための地中埋め込み型の照明装置において、
周囲環境の明るさを検知する明るさ検知手段と、
前記明るさ検知手段によって検知された周囲環境の明るさが平均水平面照度１ルクス（
ｌｘ）程度のとき、前記有効照明範囲における光度の上限値が単位長さ当たり１．３３ｃ
ｄとなり、前記視認照明範囲における光度の下限値が単位長さ当たり０．１７ｃｄとなり
、
前記明るさ検知手段によって検知された周囲環境の明るさが平均水平面照度１０ルクス
（ｌｘ）程度のとき、前記有効照明範囲における光度の上限値が単位長さ当たり１．９８
ｃｄとなり、前記視認照明範囲における光度の下限値が単位長さ当たり０．３０ｃｄとな
り、
前記明るさ検知手段によって検知された周囲環境の明るさが平均水平面照度１０ルクス
（ｌｘ）より明るく１００ルクス（ｌｘ）よりも暗いとき、前記有効照明範囲における光
度の上限値が単位長さ当たり２．６３ｃｄとなり、前記視認照明範囲における光度の下限
値が単位長さ当たり０．４３ｃｄとなる光度が可変な発光源とを備え、周囲環境の明るさ
に関わらず晴眼者がグレアを感じず、かつ視覚障害者が照明装置の位置を確実に視認でき
ることを特徴とする地中埋め込み型照明装置。
【請求項５】
前記発光面の形状が線状であることを特徴とする請求項４に記載の地中埋め込み型照明装置。
【請求項６】
前記発光面は、少なくとも１つの略直角の角部を持つことを特徴とする請求項５に記載の地中埋め込み型照明装置。
【請求項７】
前記発光面は、全ての角部が略直角の多角形に形成されていることを特徴とする請求項５に記載の地中埋め込み型照明装置。
【発明の詳細な説明】
【技術分野】
【０００１】
本発明は、地中埋め込み型の照明装置によって地上に向けて発光させることにより、地上を歩行する視覚障害者の歩行支援を行うための照明方法及び照明装置に関する。
【背景技術】
【０００２】
視覚障害者の歩行支援のための設備のひとつに点字ブロックがある。点字ブロックには夜間における視認性を高めるために、高輝度ＬＥＤを埋め込んだものがあるが、従来はＬＥＤの光度や発光面の形状が適切ではなく、視覚障害者のための有効な歩行支援には不充分なものであった。
【０００３】
一方、積雪地域の道路に設置される道路灯において、積雪によって判別不能になった道路と路肩の境界を示すために、道路の上方からビーム状の光を下へ向けて投射させる道路灯が知られている（例えば、特許文献１参照）。この道路灯では、道路を走行する車両の運転者から見て、ビーム状の光によって直接照射される矢羽等の標識及びビーム状の光柱自体は、明瞭に視認できるが、そのビーム状の光によってグレア（眩しさ、ぎらつき感）を感じることがないように、光源の光度が調整される。また、降雪量、降雨量等の環境に応じて光の出力を可変制御するようにもなっている。
【特許文献１】特開２００５−２７７３号公報
【発明の開示】
【発明が解決しようとする課題】
【０００４】
上述のＬＥＤを埋め込んだ点字ブロックのように、地中に光源を埋め込むことにより地上に向けて一定の形状の発光面を発光させる照明装置（以下、地中埋め込み型照明装置という）があり、この地中埋め込み型照明装置は、発光面の光度や形状が適切であるならば、視覚障害者の歩行支援に有効である。ところが、従来、視覚障害者の歩行支援に有効な地中埋め込み型照明装置は、種々の要因によって実現されていない。
【０００５】
１つの要因としては、従来の地中埋め込み型照明装置は、当該照明装置を設置する道路が、視覚障害者の歩行する道路であると同時に晴眼者の歩行する道路でもあるために、当該照明装置の光によって晴眼者がグレアを感じることがないように、光源の光度を低目に設計してある場合がある。その場合には、視覚障害者にとって照明装置の位置を視認することが困難になる。視覚障害者が道路面に間隔をおいて埋設された照明装置を次々に視認して安全に歩行するためには、歩行する視覚障害者が、照明装置に対して約５ｍの距離に近づいた位置で当該照明装置を視認できる必要がある。
【０００６】
視覚障害者の有効な歩行支援のための上記の条件を満たすためには、照明装置の光度は高目の方がよいのであるが、光度が高過ぎると、照明装置に近づいた晴眼者はグレアを感じて不快な思いをする。
【０００７】
要するに、地中埋め込み型照明装置では、視覚障害者にとって有効な歩行支援が得られる光度の範囲と、晴眼者がグレアを感じて不快な思いをしなくて済む光度の範囲の重なり合う範囲に、その光度が設定できればよいのであるが、従来は、その光度範囲を客観的に適正な範囲に特定することが困難であった。
【０００８】
また、上述のように地中埋め込み型照明装置の光度の範囲が適正な範囲に特定され難い原因のひとつに、視覚障害者にとって有効な歩行支援が得られる光度の範囲と、晴眼者がグレアを感じて不快な思いをしなくて済む光度の範囲が共に照明装置の周囲の明るさに連動して変化するという問題があった。
【０００９】
具体的には、視覚障害者にとって有効な歩行支援が得られる光度の範囲は、夜間等周囲環境が暗い場合には比較的低く、昼間の周囲環境が明るい場合には比較的高くなり、晴眼者にとってグレアを感じる光度の範囲は、夜間等周囲環境が暗い場合には比較的低く、昼間の周囲環境が明るい場合には比較的高くなる。
【００１０】
従って、地中埋め込み型照明装置において、例えば、昼間の周囲環境が明るい下で、視覚障害者にとって有効な歩行支援が得られ、かつ晴眼者がグレアを感じずに済む光度に設定したとしても、夜間では適正光度よりも高過ぎて、晴眼者がグレアを感じてしまう虞がある。逆に、夜間の周囲環境が暗い下で、視覚障害者にとって有効な歩行支援が得られ、かつ晴眼者がグレアを感じずに済む光度に設定したとしても、昼間では適正光度よりも低過ぎて、視覚障害者にとって有効な歩行支援が得られない虞がある。
【００１１】
さらに、視覚障害者にとっては、照明装置の光度が適正であれば、照明装置の周囲約５ｍ以内の領域に一旦進入すれば、照明装置に接近するほど照明装置の位置が明瞭に視認できるようになるので、照明装置の位置を見失ってしまう虞は低く、照明装置に最接近した位置における照明装置の光度はあまり問題にならないが、晴眼者にとっては、照明装置に最接近した位置における足元の照明装置から受ける光によって、よりグレアを感じやすいという問題がある。
【００１２】
そこで、本発明は、周囲環境の明るさが変化しても、視覚障害者にとっては照明装置の周囲の所定範囲内で該照明装置の位置を確実に視認できて有効な歩行支援が得られ、晴眼者にとっては照明装置に近づいてもグレアを感じずに済む、地中埋め込み型照明装置による照明方法及び地中埋め込み型照明装置を提供することを目的とする。
【課題を解決するための手段】
【００１３】
上記目的を達成するために請求項１の発明は、地中埋め込み型の照明装置によって地上
に向けて発光させ、地上を歩行する視覚障害者の歩行支援を行うための照明方法において
、前記照明装置の発光面に垂直な軸からの開き角度が０度から略７０度の範囲（以下、有
効照明範囲という）における光度の上限値を照明装置長さ３００ｍｍ当たり（以下、単位
長さ当たりという）１．９８ｃｄとし、前記開き角度が略３０度から略７０度の範囲（以
下、視認照明範囲という）における光度の下限値を単位長さ当たり０．４３ｃｄとし、晴
眼者がグレアを感じず、かつ視覚障害者が照明装置の位置を確実に視認できるようにする
ことを特徴とする。
【００１４】
請求項２の発明は、請求項１の発明において、周囲環境の明るさが平均水平面照度１ルクス（ｌｘ）のとき、前記有効照明範囲における光度の上限値を単位長さ当たり１．３３ｃｄとし、前記視認照明範囲における光度の下限値を単位長さ当たり０．１７ｃｄとすることを特徴とする。
【００１５】
請求項３の発明は、請求項１の発明において、周囲環境の明るさが平均水平面照度１０
ルクス（ｌｘ）のとき、前記有効照明範囲における光度の上限値を単位長さ当たり１．９
８ｃｄとし、前記視認照明範囲における光度の下限値を単位長さ当たり０．３０ｃｄとす
ることを特徴とする。
【００１６】
請求項４の発明は、発光面が地上に向けて埋め込まれ、前記発光面の発光によって、地
上を歩行する視覚障害者の歩行支援を行うための地中埋め込み型の照明装置において、周
囲環境の明るさを検知する明るさ検知手段と、前記明るさ検知手段によって検知された周
囲環境の明るさが平均水平面照度１ルクス（ｌｘ）程度のとき、前記有効照明範囲におけ
る光度の上限値が単位長さ当たり１．３３ｃｄとなり、前記視認照明範囲における光度の
下限値が単位長さ当たり０．１７ｃｄとなり、前記明るさ検知手段によって検知された周
囲環境の明るさが平均水平面照度１０ルクス（ｌｘ）程度のとき、前記有効照明範囲にお
ける光度の上限値が単位長さ当たり１．９８ｃｄとなり、前記視認照明範囲における光度
の下限値が単位長さ当たり０．３０ｃｄとなり、前記明るさ検知手段によって検知された
周囲環境の明るさが平均水平面照度１０ルクス（ｌｘ）より明るく１００ルクス（ｌｘ）
よりも暗いとき、前記有効照明範囲における光度の上限値が単位長さ当たり２．６３ｃｄ
となり、前記視認照明範囲における光度の下限値が単位長さ当たり０．４３ｃｄとなる光
度が可変な発光源とを備え、周囲環境の明るさに関わらず晴眼者がグレアを感じず、かつ
視覚障害者が照明装置の位置を確実に視認できることを特徴とする。
【００１７】
請求項５の発明は、請求項４の発明において、前記発光面の形状が線状であることを特徴とする。
【００１８】
請求項６の発明は、請求項５の発明において、前記発光面は、少なくとも１つの略直角の角部を持つことを特徴とする。
【００１９】
請求項７の発明は、請求項５の発明において、前記発光面は、全ての角部が略直角の多角形に形成されていることを特徴とする。
【発明の効果】
【００２０】
請求項１の発明によれば、視覚障害者にとって地中埋め込み型照明装置の周囲の所定範囲内で該照明装置の位置を確実に視認できて有効な歩行支援が得られ、しかも晴眼者は照明装置に近づいてもグレアを感じずに済む。
【００２１】
請求項２の発明によれば、周囲環境の明るさが平均水平面照度１ルクス（ｌｘ）のときに、視覚障害者にとって地中埋め込み型照明装置の周囲の所定範囲内で該照明装置の位置を確実に視認できて有効な歩行支援が得られ、しかも晴眼者は照明装置に近づいてもグレアを感じずに済む。
【００２２】
請求項３の発明によれば、周囲環境の明るさが平均水平面照度１０ルクス（ｌｘ）のときに、視覚障害者にとって地中埋め込み型照明装置の周囲の所定範囲内で該照明装置の位置を確実に視認できて有効な歩行支援が得られ、しかも晴眼者は照明装置に近づいてもグレアを感じずに済む。
【００２３】
請求項４の発明によれば、周囲環境の明るさが変化しても、その変化に関わらず、視覚障害者にとって地中埋め込み型照明装置の周囲の所定範囲内で該照明装置の位置を確実に視認できて有効な歩行支援が得られ、しかも晴眼者は照明装置に近づいてもグレアを感じずに済む。
【００２４】
請求項５乃至請求項７の発明によれば、周囲環境の明るさが変化しても、その変化に関わらず、視覚障害者にとって地中埋め込み型照明装置の周囲の所定範囲内で該照明装置の位置と向きを確実に視認できて有効な歩行支援が得られ、しかも晴眼者は照明装置に近づいてもグレアを感じずに済む。
【発明を実施するための最良の形態】
【００２５】
（第１実施形態）
以下、本発明の第１の実施形態に係る地中埋め込み型照明装置と該地中埋め込み型照明装置による照明方法について、図面を参照して説明する。まず、本実施形態の地中埋め込み型照明装置の構造について、図１と図２を参照して説明する。本実施形態の地中埋め込み型照明装置１は、地中に埋め込まれる細長の直方体状枠体２と、その内部に配置された高輝度ＬＥＤ等から構成される複数の光源３と、枠体２の上面開口を覆うように設けられた光透過性のパネル４とを備えている。パネル４によって発光面が構成される。なお、本実施形態の照明装置１の長さは、点字ブロックの大きさ（３００ｍｍ平方）に合わせて、３００ｍｍに設定されており、以降の説明において示す光度は、全て３００ｍｍ長の照明装置当たり（単位長さ当たり）の値とする。
【００２６】
発光面の光度の分布について説明する前提として、パネル（発光面）４の発光によって照明される範囲の区分について、図面を参照して説明する。図３に示したように、発光面４に垂直な軸ｖからの開き角度が０度から略７０度の範囲を有効照明範囲Ｒｅとし、開き角度が略３０度から略７０度の範囲を視認照明範囲Ｒｓとする。開き角度が略７０度とは、地中に埋め込まれた照明装置１と該照明装置１から約５ｍ離れた位置に立つ歩行者の目の高さを結んだ仮想線ａが垂直軸ｖとの間に形成する角度であり、開き角度が略３０度とは、地中に埋め込まれた照明装置１と該照明装置１から約１ｍ離れた位置に立つ歩行者の目の高さを結んだ仮想線ｂが垂直軸ｖとの間に形成する角度である。
【００２７】
従って、有効照明範囲Ｒｅとは、地中に埋め込まれた照明装置１が、その周囲約５ｍ以内に立つ歩行者の少なくとも頭部を照明する範囲であり、照明装置１からの光が歩行者（晴眼者）にグレアを感じさせる可能性のある照明範囲である。視認照明範囲Ｒｓとは、照明装置１の周囲約５ｍ以内に立つ歩行者（視覚障害者）が、普通に視線を略前方へ向けたときに、照明装置１が適正な光度を有すれば、その照明装置１を容易に視認できる範囲である。
【００２８】
そして、本実施形態では、有効照明範囲Ｒｅにおいて、発光面４の単位長さ当たりの光度が０．４３ｃｄ以上で、かつ１．９８ｃｄ以下になるように、光源の種類、印加する電圧等を設定してある。照明装置１の周囲における光度の分布を図４に模式的に示す。有効照明範囲Ｒｅにおいて光度が上記の範囲に設定されるので、照明装置１の周囲約５ｍ以内に立つ視覚障害者は、照明装置１の位置をほぼ確実に視認することができ安全に歩行が可能であり、照明装置１の周囲約５ｍ以内を歩行する晴眼者の多くは、グレアを感じることがない。
【００２９】
次に、光度の値を設定するに当たって実施した実験について説明する。実験は、視覚障害者の視覚を擬似的に再現できるゴーグルを装着した擬似視覚障害者による照明装置の視認実験と、晴眼者による照明装置から受けるグレアの感受実験との２種類の実験を行った。
【００３０】
擬似視覚障害者による視認実験について説明する。使用したゴーグルは、白濁レンズによって晴眼者に視力換算で０．０４の視覚障害状態を再現できるロービジョン研究会推奨の仕様のものである。このゴーグルを装着した擬似視覚障害者８名（女性２名、男性６名）を評価者とし、各評価者を地中に埋め込んだ光度が変更できる照明装置から５ｍの位置に立たせて、照明装置の発光面の光度を徐々に変化させ、評価者がその発光面を歩行可能な程度に視認できるか否かを基準にして評価させた。また、同内容の実験を、周囲環境の明るさを、平均水平面照度が１００ルクス（ｌｘ）の場合と１ルクス（ｌｘ）の場合に条件を変えて行った。
【００３１】
周囲環境の明るさが平均水平面照度において１００ルクス（ｌｘ）の場合の実験結果を図１５に示す。横軸は照明装置の光度であり、縦軸は、複数の評価者のうち照明装置の発光面が視認でき歩行可能であると評価した人数の割合である。実験データからは、光度が０．１５以下であれば約６０％以下の評価者しか歩行可能な程度に視認できると評価しないが、光度が約０．５５以上であれば１００％の評価者が歩行可能な程度に視認できると評価することが分かる。
【００３２】
次に、実験データから線形近似式Ｌｓ１００を求めて、評価者の９０％が歩行可能な程度に視認できると評価する光度を求めた。その結果、評価者の９０％が歩行可能な程度に視認できると評価する光度（以下、下限値光度という）は、０．４３ｃｄであった。
【００３３】
同様に、周囲環境の明るさが平均水平面照度において１ルクス（ｌｘ）の場合の結果を図１６に示す。実験データからは、光度が０．１４５以下であれば約２５％以下の評価者しか歩行可能な程度に視認できると評価しないが、光度が約０．１７５以上であれば１００％の評価者が、歩行可能な程度に視認できると評価することが分かる。
【００３４】
同様に、線形近似式Ｌｓ１を用いて、評価者の９０％が歩行可能な程度に視認できると評価する下限値光度を求めた結果、下限値光度は、０．１７ｃｄであった。
【００３５】
さらに、上記実験によって求めた各周囲環境の明るさ（平均水平面照度が１００ルクス（ｌｘ）と１ルクス（ｌｘ））における各下限値光度（０．４３ｃｄと０．１７ｃｄ）にウェバー・フェヒナー法則を適用して、対数近似によって周囲環境の明るさが平均水平面照度１０ルクス（ｌｘ）の場合の下限値光度を求めた。図２０に周囲環境の明るさと光度との関係を、横軸を対数にして表す。その結果、下限値光度は、０．３０ｃｄであった。
【００３６】
次に、晴眼者によるグレアの感受実験について説明する。７名の晴眼者（女性２名、男性５名）を評価者とし、各評価者が通常の歩行姿勢で地中に埋め込んだ照明装置から約５ｍの位置において、照明装置の光度を徐々に変化させたとき、グレアを感じ始める光度を評価させた。また、同内容の実験を、周囲環境の明るさを、平均水平面照度が１００ルクス（ｌｘ）の場合と１ルクス（ｌｘ）の場合に条件を変えて行った。
【００３７】
周囲環境の明るさが平均水平面照度において１００ルクス（ｌｘ）の場合の実験結果を図１７に示す。横軸は照明装置の光度であり、縦軸は、複数の評価者のうち照明装置からグレアを感じると評価した人数の割合である。実験データからは、光度が約１．５以下であれば約３０％以下の評価者しか照明装置からグレアを感じると評価しないが、光度が５．０以上であれば１００％の評価者が、グレアを感じると評価することが分かる。
【００３８】
次に、擬似視覚障害者による視認実験の場合と同様に、実験データから線形近似式Ｌｇ１００を求めて、評価者の５０％がグレアを感じ始めると評価する光度を求めた。その結果、評価者の５０％がグレアを感じ始めると評価する光度（以下、上限値光度という）は、２．６３ｃｄであった。
【００３９】
同様に、周囲環境の明るさが平均水平面照度において１ルクス（ｌｘ）の場合の結果を図１８に示す。実験データからは、光度が約０．７以下であれば約３０％以下の評価者しか照明装置からグレアを感じると評価しないが、光度が約１．８以上であればほぼ１００％の評価者が、グレアを感じると評価することが分かる。
【００４０】
そして、同様に、線形近似式Ｌｇ１を用いて、評価者の５０％がグレアを感じ始めると評価する上限値光度を求めた結果、上限値光度は、１．３３ｃｄであった。
【００４１】
さらに、上記実験によって求めた各周囲環境の明るさ（平均水平面照度が１００ルクス（ｌｘ）と１ルクス（ｌｘ））における各上限値光度（２．６３ｃｄと１．３３ｃｄ）に、擬似視覚障害者による視認実験の場合と同様に、ウェバー・フェヒナー法則を適用して、対数近似によって周囲環境の明るさが平均水平面照度１０ルクス（ｌｘ）の場合の上限値光度を求めた。図１９に周囲環境の明るさと光度との関係を、横軸を対数にして表す。その結果、上限値光度は、１．９８ｃｄであった。
【００４２】
以上の２種類の実験結果及び実験結果から求められる算出値に基づいて、各周囲環境の明るさにおける、９０％以上の視覚障害者が歩行可能な程度に視認できる光度（下限光度）と、５０％以上の晴眼者がグレアを感じないと評価する光度（上限光度）は、次のとおり決定できる。周囲環境の明るさが１ルクス（ｌｘ）のとき、下限光度：０．１７ｃｄ、上限光度：１．３３ｃｄ、周囲環境の明るさが１０ルクス（ｌｘ）のとき、下限光度：０．３０ｃｄ、上限光度：１．９８ｃｄ、周囲環境の明るさが１００ルクス（ｌｘ）のとき、下限光度：０．４３ｃｄ、上限光度：２．６３ｃｄである。
【００４３】
地中埋め込み型照明装置１が設置される屋外における明るさは、通常１０〜１００ルクス（ｌｘ）であるため、本実施形態の照明装置１の光度の値は、上記実験結果から求められる周囲環境の明るさが１０ルクス（ｌｘ）のときの値（下限光度：０．３０ｃｄ、上限光度：１．９８ｃｄ）と、周囲環境の明るさが１００ルクス（ｌｘ）のときの値（下限光度：０．４３ｃｄ、上限光度２．６３ｃｄ）の重なり合う範囲である下限光度：０．４３ｃｄ、上限光度：１．９８ｃｄとした。
【００４４】
（第２実施形態）
次に、第２の実施形態について、図５を参照して説明する。第２の実施形態における地中埋め込み型照明装置１の構造は、第１の実施形態と同じであり説明を省略する。第２の実施形態は、照明装置１の光度の設定を、晴眼者がグレアを感じる可能性のある有効照明範囲Ｒｅにおいて上限光度を設定し、視覚障害者が照明装置１を主に見つけ出す範囲である視認照明範囲Ｒｓにおいて下限光度を設定する。
【００４５】
具体的には、第２の実施形態では、有効照明範囲Ｒｅにおける上限光度を１．９８ｃｄとし、視認照明範囲Ｒｓにおける下限光度を０．４３ｃｄとした。これによって発光面４に垂直な軸ｖからの開き角度が０度から約３０度の範囲における光度は上限のみが設定され、当該範囲における低い光度が許容されることとした。照明装置１の周囲における光度の分布を図５に模式的に示す。
【００４６】
第２の実施形態では、有効照明範囲Ｒｅにおいて上限光度が１．９８ｃｄに設定されるので、照明装置１の周囲約５ｍ以内を歩行する晴眼者の多くはグレアを感じずに済み、照明装置１の周囲約５ｍ以内に近づいた視覚障害者は、視認照明範囲Ｒｓの下限光度が０．４３ｃｄに設定されるので、照明装置１の位置をほぼ確実に視認することができる。視覚障害者が照明装置１から約１ｍ以内に接近して視認照明範囲Ｒｓを外れても、歩行する視覚障害者は、すぐに視認照明範囲Ｒｓに入って照明装置１を容易に視認することができる。また、照明装置１から約１ｍ以内に接近した視覚障害者は、照明装置１の位置を、照明装置１とその周囲の地上面との色度差で認識することができる。
【００４７】
（第３実施形態）
次に、第３の実施形態について、図６と図７を参照して説明する。第３の実施形態における地中埋め込み型照明装置１は、第１の実施形態における構造に、周囲環境の明るさを検知する明るさセンサＳが付加され、さらに、高輝度ＬＥＤ等の光源３が、明るさセンサＳによって検知された周囲環境の明るさの程度に応じて光度が変化するものに代えられた構造である。そして、光源３の光度は、前述の実験結果によって決定された、各周囲環境の明るさに応じた適正な範囲の光度に設定される。
【００４８】
各周囲環境の明るさに応じた光度の設定値を次に説明する。第３の実施形態における光源３は、周囲環境の明るさが平均水平面照度１ルクス（ｌｘ）程度の暗さのとき、有効照明範囲Ｒｅにおける光度の上限値が１．３３ｃｄとなり、視認照明範囲Ｒｓにおける光度の下限値が０．１７ｃｄとなり、周囲環境の明るさが平均水平面照度１０ルクス（ｌｘ）程度のとき、有効照明範囲Ｒｅにおける光度の上限値が１．９８ｃｄとなり、視認照明範囲Ｒｓにおける光度の下限値が０．３０ｃｄとなり、周囲環境の明るさが平均水平面照度１００ルクス（ｌｘ）程度の明るさのとき、有効照明範囲Ｒｅにおける光度の上限値が２．６３ｃｄとなり、視認照明範囲Ｒｓにおける光度の下限値が０．４３ｃｄとなる。
【００４９】
周囲環境の明るさが１ルクス（ｌｘ）のときの照明装置１の周囲における光度の分布を図６に模式的に示し、周囲環境の明るさが１００ルクス（ｌｘ）のときの照明装置１の周囲における光度の分布を図７に模式的に示す。
【００５０】
従って、第３の実施形態では、周囲環境の明るさが変化しても、その変化に関わらず、視覚障害者にとっては、照明装置１の周囲約５ｍの範囲内で該照明装置１の位置を確実に視認できて有効な歩行支援が得られ、しかも晴眼者の多くは照明装置１に近づいてもグレアを感じずに済む。また、周囲環境が暗い場合には光源３の光度を低減できるので、光源３への供給電力が少なくて済み、省エネルギを実現できる。なお、明るさセンサＳは、明るさを検知する端末が照明装置１の周囲の複数個所に分散して設置され、それら複数の検知端末によって検知された明るさの情報が制御回路に収集され、収集された複数の明るさ情報から平均値が算出され、算出された明るさの平均値が周囲環境の明るさとして用いられるものであってもよい。
【００５１】
また、第１の実施形態から第３の実施形態の地中埋め込み型照明装置１における発光面を構成するパネル４を、光源３からの光を乱反射させる拡散パネルに変更してもよい。パネル４を拡散パネルに変更することによって、晴眼者がグレアを感じる程度が緩和される。拡散パネルを用いる場合は、第１の実施形態から第３の実施形態における各上限光度及び各下限光度の値を２倍の値に設定しても、支障がないことが確認されている。
【００５２】
（第４実施形態）
次に、第４の実施形態について説明する。第４の実施形態の地中埋め込み型照明装置１の構造は、第１の実施形態における構造と同一であり、その平面視における発光面（パネル４）の形状が、図８又は図９に示されるように、１本の線状又は２本の線状パネルを連結したＴ字形状に形成される。図８に示された照明装置１のパネル４ｐは、４つの角部４ａが全て直角であり、図９に示された照明装置１のパネルは、連結された２本の線状パネル４ｍ，４ｎのそれぞれについて全ての角部４ａが直角である。
【００５３】
発光面４の形状を線状とし角部４ａを直角とすることによって、視野が欠損した視覚障害者が発光面４の一部分や端部のみしか視認できない場合であっても、照明装置１の向き（方向）をより確実に認識させることができる。図９に示された照明装置１のように、線状の発光面４ｍ、４ｎをＴ字状に組合わせた場合には、２つの方向への向きを認識させることができる。例えば、Ｔ字の横長部に相当するパネル４ｍによって境界を示し、縦長部に相当するパネル４ｎによって歩行者が歩行すべき方向を示すことができる。
【００５４】
また、図８に示された線状の発光面４ｐを有する照明装置１は、長さが３００ｍｍの単位装置を３つ以上連結してより長い線状の照明装置１とすれば、その照明装置によって道路上等の境界をより明瞭に表示させることができる。例えば、図１０に示されたように、車道１１と歩道１２との境界に近い歩道面に、長い線状の照明装置１を埋設することによって、歩道１２から横断歩道１３への進入位置及び横断歩道１３の終端を明瞭に示すことができ、実際の道路上を歩行する視覚障害者Ｐが歩行支援のための有効な情報を得ることができる。
【００５５】
なお、視覚障害者Ｐにとっては、発光面が円形である照明装置と路面の水溜りに反射して写った街路灯との判別が行い難いという問題があるが、発光面４を直角の角部４ａを有する線状とすることによって、照明装置１と水溜りに写った街路灯との判別を容易に行える。
【００５６】
（第５実施形態）
次に、第５の実施形態について、図１１乃至図１４を参照して説明する。第５の実施形態の地中埋め込み型照明装置５１の構造は、第１の実施形態における構造とほぼ同一であり、階段の踏面２１の左右端に埋め込み設置される。そして、平面視における発光面（パネル）の形状が、図１１及び図１２に示されるように、鉤型又は直角三角形状に形成される。鉤型パネル５２及び直角三角形パネル５３の屈曲部５２ａ、５３ａは、踏面２１の左右の直角部２１ａに沿わせて配置される。鉤型パネル５２の場合は、発光面の外側長さが１００ｍｍ以上であり、内側長さが５０ｍｍ以上であれば、視覚障害者によって階段の踏面２１が平面として認識される。
【００５７】
階段の踏面２１に照明装置５１を設置し、視覚障害者に階段を昇降するための有効な支援情報を与えようとするときに、照明装置５１の向きによって境界や歩行方向を示すよりも、視覚障害者にとって階段の踏面２１を一定の面積を有する平面として認識させることが、視覚障害者の安全にとって重要であることが、前述のゴーグルを用いた擬似視覚障害者による実験によって判明している。従って、踏面２１に設置される照明装置５１の発光面５２、５３が、上記の長さ条件を満たす鉤型又は直角三角形であれば、視覚障害者に階段の踏面２１を確実に認識させることができて、視覚障害者が階段を昇降するためのより有効な支援情報を与えることができる。
【００５８】
また、発光面５２の形状が鉤型である場合、図１３に示されるように踏面２１の長手方向に沿うパネル部分５２ｂの長さが、踏面２１の長手方向に直交するパネル部分５２ｃの長さよりも長くてもよいし、図１４に示されたように、踏面２１の長手方向に沿うパネル部分５２ｂの長さが、踏面２１の長手方向に直交するパネル部分５２ｃの長さよりも短くてもよい。前者の場合は、視覚障害者にとって踏面２１の前縁がより明瞭に視認され、後者の場合は、視覚障害者にとって踏面２１の左右端がより明瞭に視認される。
【００５９】
なお、光源として、上記の各種形態を組み合わせたものを用いてもよい。例えば、周囲環境明るさが平均水平面照度１ルクス程度のとき有効照明範囲における光度の上限値が単位長さ当たり１．３３ｃｄとなり、視認照明範囲における光度の下限値が単位長さ当たり０．１７ｃｄとなる一つの発光源と、周囲環境明るさが平均水平面照度１０ルクス程度のとき有効照明範囲における光度の上限値が単位長さ当たり１．９８ｃｄとなり、視認照明範囲における光度の下限値が単位長さ当たり０．３０ｃｄとなるもう一つの発光源とを組み合わせたものでも構わない。
【００６０】
以上のように、本発明に係る照明方法及び照明装置によれば、視覚障害者にとって地中埋め込み型照明装置の周囲の所定範囲内で該照明装置の位置を確実に視認できて有効な歩行支援が得られ、しかも晴眼者は照明装置に近づいてもグレアを感じずに済む。
【図面の簡単な説明】
【００６１】
【図１】本発明の第１の実施形態に係る地中埋め込み型照明装置の側断面図。
【図２】同地中埋め込み型照明装置の平面図。
【図３】同発光面の光度の分布範囲の区分を示す説明図。
【図４】同発光面の光度の分布を示す模式図。
【図５】本発明の第２の実施形態に係る地中埋め込み型照明装置における発光面の光度の分布を示す模式図。
【図６】本発明の第３の実施形態に係る地中埋め込み型照明装置における、周囲環境の明るさが１ルクスのときの発光面の光度の分布を示す模式図。
【図７】同周囲環境の明るさが１００ルクスのときの発光面の光度の分布を示す模式図。
【図８】本発明の第４の実施形態に係る地中埋め込み型照明装置の平面図。
【図９】同地中埋め込み型照明装置の変形例の平面図。
【図１０】同地中埋め込み型照明装置を道路に設置する場合の例を示す説明図。
【図１１】本発明の第５の実施形態に係る地中埋め込み型照明装置が階段に設置された状態を示す平面図。
【図１２】同地中埋め込み型照明装置の変形例を示す平面図。
【図１３】同地中埋め込み型照明装置のさらなる変形例を示す平面図。
【図１４】同地中埋め込み型照明装置のさらなる変形例を示す平面図。
【図１５】擬似視覚障害者による視認実験において、周囲環境の明るさが１００ルクスのときの、発光面光度と視認可能者の割合との関係を示す図。
【図１６】同周囲環境の明るさが１ルクスのときの、発光面光度と視認可能者の割合との関係を示す図。
【図１７】晴眼者によるグレア感受実験において、周囲環境の明るさが１００ルクスのときの、発光面光度とグレアを感じる評価者の割合との関係を示す図。
【図１８】同周囲環境の明るさが１ルクスのときの、発光面光度とグレアを感じる評価者の割合との関係を示す図。
【図１９】周囲環境の明るさが１００ルクスのときの上限値光度と１ルクスのときの上限値光度から、周囲環境の明るさが１０ルクスのときの上限値光度を対数近似によって求めるための図。
【図２０】周囲環境の明るさが１００ルクスのときの下限値光度と１ルクスのときの下限値光度から、周囲環境の明るさが１０ルクスのときの下限値光度を対数近似によって求めるための図。
【符号の説明】
【００６２】
１  地中埋め込み型照明装置
３  光源（発光源）
４  パネル（発光面）
４ａ  角部
４ｐ  パネル（発光面）
４ｍ  パネル（発光面）
４ｎ  パネル（発光面）
ｖ  垂直軸
Ｒｅ  有効照明範囲
Ｒｓ  視認照明範囲
Ｓ  明るさセンサ（明るさ検知手段）
【図１】
0004552823.tif 000002
【図２】
0004552823.tif 000003
【図３】
0004552823.tif 000004
【図８】
0004552823.tif 000005
【図９】
0004552823.tif 000006
【図１０】
0004552823.tif 000007
【図１５】
0004552823.tif 000008
【図１６】
0004552823.tif 000009
【図１７】
0004552823.tif 000010
【図１８】
0004552823.tif 000011
【図１９】
0004552823.tif 000012
【図２０】
0004552823.tif 000013
【図４】
0004552823.tif 000014
【図５】
0004552823.tif 000015
【図６】
0004552823.tif 000016
【図７】
0004552823.tif 000017
【図１１】
0004552823.tif 000018
【図１２】
0004552823.tif 000019
【図１３】
0004552823.tif 000020
【図１４】
0004552823.tif 000021